(57)【特許請求の範囲】
【請求項１】
フィルム製造装置とフィルム巻取り装置との間に、フィルムを滞留させるアキュームケースを設けるとともに、前記アキュームケースの上方に、前記フィルムのアキュームケースへの出入を案内するロールと、前記アキュームケース内のフィルムを指向し、前記フィルムの内側に気体を噴射するノズルを有するエアーパイプとを設け、前記フィルムのアキュームケースへの出入を案内するロールの下方に、前記フィルムとアキュームケース内壁との間に気体を噴出し、前記アキュームケース内を走行するフィルムが、常に伸長状態を保持するとともに、走行方向を保持する補助エアーパイプを設けてなることを特徴とするフィルムの巻取り調節装置。
【請求項２】
エアーパイプおよび補助エアーパイプに設けたノズルが、１個または複数の孔あるいはスリットから構成されることを特徴とする請求項１に記載のフィルムの巻取り調節装置。
【請求項３】
エアーパイプおよび補助エアーパイプに設けた複数の孔あるいはスリットから噴射される気体の方向が放射状に構成されていることを特徴とする請求項１または請求項２に記載のフィルムの巻取り調節装置。
【発明の詳細な説明】
【０００１】
【発明の属する技術分野】
本発明は、例えば、インフレーションフィルム、ラミネートフィルム、シュリンクフィルム等のフィルム類をコイル状に巻取るに際し、前記フィルムに掛かる張力を一定範囲に保持するための調節装置に関するものである。
【０００２】
【従来の技術】
従来、インフレーションフィルム、ラミネートフィルム、シュリンクフィルム等のフィルム類（以下、フィルムと略称する）をコイル状に巻取る場合は、図３に示すようにフィルム製造装置とフィルム巻取り装置との間に、フィルム２の案内ロール１４と上下方向に移動可能な移動式ロール１５とを設け、前記移動式ロール１５に錘１６を付けたダンサーロールを用い、フィルムに一定張力を加えることにより、アキューム装置として使用していた。
【０００３】
しかしながら、上記のダンサーロールでは、移動式ロール１５の移動量および案内ロール、移動式ロールの本数等に機械的レイアウトに基因する制限があり、アキューム量を増すためには限界があった。
【０００４】
【発明が解決しようとする課題】
本発明は、フィルム製造装置とフィルム巻取り装置との間にアキュームケースを設置するとともに、前記アキュームケースの上方にエアーパイプを設け、前記エアーパイプから、アキュームケース内を走行するフィルムに気体を噴射して、フィルムをアキュームケース内で弧状に走行させることによりアキューム量の増加を図るとともに、走行中のフィルムがアキュームケース内において、弛み、絡み、捩れその他の異常状態を生じることなく円滑に走行するようにしたことを目的とするものである。
【０００５】
【課題を解決するための手段】
上記の目的を達成するために、本発明の請求項１は、フィルム製造装置とフィルム巻取り装置との間に、フィルムを滞留させるアキュームケースを設けるとともに、前記アキュームケースの上方に、前記フィルムのアキュームケースへの出入を案内するロールと、前記アキュームケース内のフィルムを指向し、前記フィルムの内側に気体を噴射するノズルを有するエアーパイプとを設け、前記フィルムのアキュームケースへの出入を案内するロールの下方に、前記フィルムとアキュームケース内壁との間に気体を噴出し、前記アキュームケース内を走行するフィルムが、常に伸長状態を保持するとともに、走行方向を保持する補助エアーパイプを設けてなることを特徴とするフィルム類の巻取り調節装置である。
【０００７】
本発明の請求項２は、請求項１に記載のフィルムの巻取り調節装置において、エアーパイプおよび補助エアーパイプに設けたノズルが、１個または複数の孔あるいはスリットから構成されることを特徴とするものである。
【０００８】
本発明の請求項３は、請求項１または請求項２に記載のフィルムの巻取り調節装置において、エアーパイプおよび補助エアーパイプに設けた複数の孔あるいはスリットから噴射される気体の方向が放射状に構成されていることを特徴とするものである。
【０００９】
【発明の実施の形態】
本発明は、フィルム製造装置により製造されたフィルムが、巻取り装置に巻取られる際に、常に一定の速度と張力とを保持されるように構成したもので、フィルム製造装置とフィルム巻取り装置との間に、前記フィルムを滞留させるアキュームケースと、その上方にアキュームケース内を走行するフィルムを指向するノズルを設けたエアーパイプとを配置し、アキュームケース内を走行するフィルムに前記ノズルから空気等の気体を噴射することにより、アキュームケース内を走行するフィルムに張力を加え、前記フィルムがアキュームケース内において、弛み、絡み等を生じることなく所定の張力を保持して正常に走行するようにした調節装置である。
【００１０】
【実施例】
以下、本発明を図面により詳細に説明する。図１は本発明の一実施例を示す側面図、図２は正面図、図３は従来のダンサーロールを示す側面図である。
【００１１】
フィルム製造装置１により製造された長尺のフィルム２は、フィルム巻取り装置１１との間に設けたアキュームケース３の入側に配置された案内ロール４によりアキュームケース内に案内され、前記アキュームケース３内を弧状に走行し、さらに出側に配置された案内ロール５により巻取り装置１１に導かれコイル状に巻取られる。
【００１２】
このとき本発明においては、前記のようにフィルム製造装置１とフィルム巻取り装置１１との間に、アキュームケース３を設け、走行するフィルム２を前記アキュームケース３に導くとともに、アキュームケース３の上方にエアーパイプ６を配置し、前記エアーパイプ６に設けたノズル７からアキュームケース３内を走行するフィルム２に対して空気等の気体を噴射して、前記フィルム２がアキュームケース３内において弧状に走行するようにして、フィルム２に加わる張力を所定範囲に保持して巻取量を所定範囲に調節するようにしたことを特徴とする。
【００１３】
なお、本発明においては、上記の作動に際して、前記案内ロール４および５の下方に補助エアーパイプ１２を配置し、前記補助エアーパイプ１２に設けたノズル１３からアキュームケース３内壁とフィルム２との間に空気等の気体を噴出し、前記アキュームケース３内を走行するフィルム２が、常に伸長状態を保持するとともに、走行方向を保持するようにして、アキュームケース３の壁面に接触したり、あるいは弛み、絡み、捩れ等の異常事態の発生を防止する。
【００１４】
また、本発明においては、エアーパイプ６への空気の供給をホース８を介してブロワー９から外気を取込んで行うが、ブロワー９にインバーター１０を接続して、アキュームケース３内のフィルム２の走行状態に応じて、前記インバーター１０により、ブロワー９からエアーパイプ６への空気供給量を調節して、アキュームケース３内のフィルム２の張力、走行速度等が所定範囲を保持するように調節する。
【００１５】
なお、本発明においてエアーパイプ６に設けるノズル７は、細孔を所定間隔で複数個並列する、あるいは細溝状に形成する等任意の形状に構成することができる。また、各ノズル７の気体の噴射方向を放射状にして、アキュームケース３内のフィルム２の走行方向を制御することができる。
【００１６】
【発明の効果】
以上説明したように、本発明は、フィルム製造装置とフィルム巻取り装置との間にアキュームケースを設け、走行中のフィルムをアキュームケース内に案内して、前記アキュームケース内においてフィルムに加わる張力を所定範囲に調節することにより、フィルムの巻取り量を一定に保持することができるので、従来、一般に使用されているダンサーロールの場合に比してフィルムのアキューム量を、コイル巻取量に対応して広汎に制御することが可能である等、その効果は極めて大きい。
【図面の簡単な説明】
【図１】本発明の一実施例を示す側面図。
【図２】本発明の一実施例を示す正面図。
【図３】従来のダンサーロールを示す側面図
【符号の説明】
１  フィルム製造装置
２  フィルム
３  アキュームケース
４  案内ロール
５  案内ロール
６  エアーパイプ
７  ノズル
８  ホース
９  ブロワー
１０  インバーター
１１  フィルム巻取り装置
１２  補助パイプ
１３  ノズル
１４  案内ロール
【図１】
0004409005.tif 000002
【図２】
0004409005.tif 000003
【図３】
0004409005.tif 000004